(57)【特許請求の範囲】
【請求項１】
撮影レンズ等を備えたカメラ本体と、
このカメラ本体の前面に、第１ポジションと第２ポジションとの間を移動可能な如く装着され、前記第１ポジションにあるときは、少なくとも前記撮影レンズの前面を覆って当該レンズを保護し、前記第２ポジションにあるときは前記撮影レンズの前面を開放して撮影可能とするレンズバリアと、
を備え、
前記レンズバリアは、
前記カメラ本体に対して移動可能に取り付けられる内側バリア部材と、
前記内側バリア部材に対して外側から重ねるように取り付けられる外側バリア部材と、
前記外側バリア部材を前記内側バリア部材に対して、当該カメラ本体の外側から着脱可能に結合する結合手段と、
を有する
ことを特徴とするカメラ。
【請求項２】
前記結合手段は、前記内側バリア部材と外側バリア部材とを、凹凸部の嵌め込みによる係合機構及びマグネットによる磁気吸着機構のうち少なくとも一方の機構を用いて着脱可能に装着する
ことを特徴とする請求項１に記載のカメラ。
【請求項３】
前記内側バリア部材には、情報を記録する為の情報記録領域が設けられている
ことを特徴とする請求項１または請求項２に記載のカメラ。
【請求項４】
前記内側バリア部材と外側バリア部材との間には、カメラの付属品を収納する為のポケット部が設けられている
ことを特徴とする請求項１または請求項２に記載のカメラ。
【請求項５】
前記外側バリア部材は、当該カメラの操作に係るリモートコントロール機能を有している
ことを特徴とする請求項１または請求項２に記載のカメラ。
【請求項６】
前記内側バリア部材の表面における前記外側バリア部材の周辺部が当接する部位には、前記外側バリア部材の周辺部に形成された突出縁部が係合可能な、溝状の境界部が形成されていることを特徴とする請求項２に記載のカメラ。
【請求項７】
前記外側バリア部材は、前記内側バリア部材よりカメラ前方に突出した部分を有していることを特徴とする請求項２に記載のカメラ。
【請求項８】
前記外側バリア部材は、移動方向に沿って形成された反り返り部を有することを特徴とする請求項２に記載のカメラ。
【請求項９】
前記外側バリア部材の材質を、前記内側バリア部材の材質とは異なるものとしたことを特徴とする請求項２に記載のカメラ。
【発明の詳細な説明】
【０００１】
【発明の属する技術分野】
本発明は、カメラを使用していないとき、撮影レンズの前面を覆うことにより撮影レンズの保護を行なうレンズバリアを備えたカメラに関する。
【０００２】
【従来の技術】
従来のこの種のバリア付きカメラとして、例えば特開平１ー２５５８３９号公報，特開平２ー５０１４３号公報，特開平６ー１０２５７０号公報，等に開示されているような構成のものがある。上記公報に示されているものは、いずれもレンズバリアが単一のバリア部材にて形成されている。
【０００３】
【発明が解決しようとする課題】
上記従来例に示した如く、一般にこの種のカメラのレンズバリアは単一部材で形成されている。このため以下のような問題がある。
【０００４】
単一部材で形成されるレンズバリアの表面の多色化をはかるには、塗装に頼るしかないが、塗装による着色は塗り分けるための工程が複雑でありコスト高を招くため、バリアの多色化は困難であった。またレンズバリア表面のデザインの変更は、カメラ本体外観との整合性が得られるように、十分な検討を加えた後でなければ簡単に設計変更する訳にはいかない。
【０００５】
このようにレンズバリア表面の多色化やデザインのバリエーション展開は比較的困難である。このため多様な好みを持つユーザーにとって、各自の好みに合ったレンズバリア付きカメラを、簡単に入手できないという不具合があった。さらにレンズバリアの取り付けは、カメラ本体の組立て工程の一環として行なわれるので、レンズバリアが一旦カメラ本体に組み付けられてしまうと、再度カメラの分解組立てを行なわない限り交換は無理となる。
【０００６】
本発明は、このような事情に基づいてなされたものであり、その目的は下記のような利点を有するカメラを提供することにある。
【０００７】
（ａ）レンズバリア表面の多色化を低コストで実現できる。
【０００８】
（ｂ）レンズバリア表面の多色化やデザインを、ユーザーの好みに応じた態様に簡単に変更することが可能である。
【０００９】
（ｃ）レンズバリアを、カメラ本体の組立て工程とは別に、独自に組立てることが可能であり、延いてはユーザー自身が適時組立てることも可能である。
【００１０】
【課題を解決するための手段】
前記課題を解決し目的を達成するために、本発明のカメラは下記の如く構成されている。
【００１１】
（１）本発明のカメラは、撮影レンズ等を備えたカメラ本体と、このカメラ本体の前面に、第１ポジションと第２ポジションとの間を移動可能な如く装着され、前記第１ポジションにあるときは、少なくとも前記撮影レンズの前面を覆って当該レンズを保護し、前記第２ポジションにあるときは前記撮影レンズの前面を開放して撮影可能とするレンズバリアと、を備え、前記レンズバリアは、前記カメラ本体に対して移動可能に取り付けられる内側バリア部材と、前記内側バリア部材に対して外側から重ねるように取り付けられる外側バリア部材と、前記外側バリア部材を前記内側バリア部材に対して、当該カメラ本体の外側から着脱可能に結合する結合手段と、を有することを特徴としている。
【００１２】
（２）本発明のカメラは、前記（１）記載のカメラであって、前記結合手段は、前記内側バリア部材と外側バリア部材とを、凹凸部の嵌め込みによる係合機構及びマグネットによる磁気吸着機構のうち少なくとも一方の機構を用いて着脱可能に装着することを特徴としている。
【００１３】
（３）本発明のカメラは、前記（１）または(２)に記載のカメラであって、前記内側バリア部材には、情報を記録する為の情報記録領域が設けられていることを特徴としている。
【００１４】
（４）本発明のカメラは、前記（１）または(２)に記載のカメラであって、前記内側バリア部材と外側バリア部材との間には、カメラの付属品を収納する為のポケット部が設けられていることを特徴としている。
【００１５】
（５）本発明のカメラは、前記（１）または（２）に記載のカメラであって、前記外側バリア部材は、当該カメラの操作に係るリモートコントロール機能を有していることを特徴としている。
【００１６】
（６）本発明のカメラは、前記（２）に記載のカメラであって、前記内側バリア部材の表面における前記外側バリア部材の周辺部が当接する部位には、前記外側バリア部材の周辺部に形成された突出縁部が係合可能な、溝状の境界部が形成されていることを特徴としている。
【００１７】
（７）本発明のカメラは、前記（２）に記載のカメラであって、前記外側バリア部材（化粧板）は、前記内側バリア部材（バリア基体）よりカメラ前方に突出した部分を有していることを特徴としている。
【００１８】
（８）本発明のカメラは、前記（２）に記載のカメラであって、前記外側バリア部材（化粧板）は、移動方向に沿って形成された反り返り部を有することを特徴としている。
【００１９】
（９）本発明のカメラは、前記（２）に記載のカメラであって、前記外側バリア部材（化粧板）の材質を、前記内側バリア部材（バリア基体）の材質とは異なるものとしたことを特徴としている。
【００２０】
【発明の実施の形態】
（第１実施形態）
図１は本発明の第１実施形態に係るカメラの外観を示す図で、レンズバリア開放状態の斜視図である。図１に示すように、カメラ本体１０はその前面に沈胴式撮影レンズ１１、ファインダー前窓１２、セルフタイマー窓１３、ストロボ発光窓１４等を有している。またカメラ本体１０は、その上面にレリーズボタン１５を有し、その後面にファインダー接眼窓１６等を有し、その一端面にコネクタ部１７等を有している。カメラ本体１０の前面の上下両端縁には、次に述べるレンズバリア２０をスライドさせるためのガイドレール１８ａ，１８ｂが形成されている。
【００２１】
レンズバリア２０は、カメラ非使用時において、カメラ本体１０の撮影レンズ１１，ファインダー前窓１２，セルフタイマー窓１３，ストロボ発光窓１４等を覆うことにより、これらを保護するためのものであり、以下の如く形成されている。
【００２２】
レンズバリア２０は、当該レンズバリア２０をカメラ本体１０に対して、図中水平方向にスライド可能な如く装着するための装着部２１と、前記撮影レンズ１１の前方領域を含む所定領域を覆うための遮蔽部２２とからなっている。
【００２３】
装着部２１は、図中上下両端をＪ字状に屈曲形成してなる係合子２１ａ，２１ｂを有している。これらの係合子２１ａ，２１ｂは、カメラ本体１０の上下両面の前縁に沿って形成された前記ガイドレール１８ａ，１８ｂに対してスライド自在に係合されている。
【００２４】
遮蔽部２２は、後述するように複数枚（本実施形態では２枚）のバリア部材を重ね合わせて多重構造（本実施形態では二重構造）としたものとなっている。
【００２５】
かくしてレンズバリア２０は、カメラ本体１０の前面に、第１ポジションＰ１と第２ポジションＰ２との間を水平軸ＡＸに沿って移動可能な如く装着され、前記第１ポジションＰ１にあるときは、少なくとも前記撮影レンズ１１の前面等を覆って当該レンズ１１等を保護し、前記第２ポジションＰ２にあるときは前記撮影レンズ１１等の前面を開放して撮影可能とする。
【００２６】
図２は本発明の第１実施形態に係るカメラの構成を示す図で、（ａ）は上面図であり、（ｂ）はバリア閉止状態の正面図であり、（ｃ）はバリア開放状態の正面図であり、（ｄ）はカメラ正面から見て右側の端面を示す右端面図である。
【００２７】
図２の（ａ）に示すように、本実施形態におけるレンズバリア２０の遮蔽部２２は、装着部２１と一体的に形成されている内側バリア部材（バリア基体）２３と、この内側バリア部材２３の表面を外側から覆うように重ね合わされ一体的に接合された外側バリア部材（化粧板）２４とからなっている。つまり本実施形態の遮蔽部２２は、二枚のバリア部材２３，２４を重ね合わせた二重構造の遮蔽部となっている。この点については、図３を用い、後で更に詳しく説明する。
【００２８】
かくして外側バリア部材２４の色を内側バリア部材２４と予め異ならせておくことにより、レンズバリア表面の多色化（二色化）を容易に実現可能である。塗装では多色化（二色化）はコスト的に困難である。またレンズバリア表面のデザインのバリエーション展開が容易となり、ユーザー好みのものとなし得る。
【００２９】
図２の（ａ）に示すように、前記外側バリア部材２４は、移動方向に沿って形成された反り返り部２４ａを有している。したがって突起などを格別に設けなくても、上記反り返り部２４ａを利用すれば、レンズバリア２０の開閉操作をスムーズに行なうことができる。なお外側バリア部材２４の材質を、摩擦係数の比較的大きなゴム等にすれば、表面に格別の引っ掛かり等を設けなくても指が滑らずに済むので好ましい。
【００３０】
図２の（ｂ）に示すように、外側バリア部材２４は、内側バリア部材２３の特に目立つ部分Ｍを含む主要領域を覆う如く形成されている。
【００３１】
図２の（ａ）および（ｄ）に示すように、外側バリア部材２４は、内側バリア部材２３よりカメラ前方へ若干大きく突出する円弧状の膨出部２４ｂを有している。すなわち、外側バリア部材２４のカメラ本体１０の背面からの突出寸法Ｔｂが、内側バリア部材２３のカメラ本体１０の背面からの突出寸法Ｔａよりも大きい。したがってカメラ前面を下向きにして床面に置いたような場合でも、まず外側バリア部材２４の膨出部２４ｂが床面に接触するので、内側バリア部材２３をはじめ、カメラ本体１０側の損傷を防げる。後述するように、外側バリア部材２４を内側バリア部材２３から取り外し可能に構成すれば、外側バリア部材２４が損傷した場合には、容易に交換することができる。
【００３２】
図３は本発明の第１実施形態に係るカメラのレンズバリアの構成を示す図で、（ａ）は内側バリア部材２３と外側バリア部材２４との結合状態を示すレンズバリアの正面図、（ｂ）は（ａ）のｂ−ｂ線矢視断面図、（ｃ）は内側バリア部材２３から外側バリア部材２４を分離して示す斜視図である。
【００３３】
図３の（ａ）〜（ｃ）に示すように、遮蔽部２２は、装着部２１と一体化されている内側バリア部材２３に対し、外側バリア部材２４をカメラ本体１０の外側から重ね合わせ、結合手段３０によって組付け得るように構成されている。
【００３４】
本実施形態では、前記結合手段３０として、（ｃ）に示す如く内側バリア部材２３の表面に設けた突条３１（３１ａ〜３１ｄ）と外側バリア部材２４の内面に設けた凹溝（３２ａ〜３２ｄ）との嵌め込みによる係合機構を用いている。なお上記結合手段３０としては、マグネットによる磁気吸着機構を利用したものであってもよいし、これらを併用したものであってもよい。
【００３５】
従って外側バリア部材２４の取り付けを、カメラ本体１０の組立て工程とは別個に独立して行なうことが可能である。このためカメラ本体の組立て工程に支障を来すことなく、例えばカメラ本体の組立て工程の最後において組付けることができる。さらにユーザーが外側バリア部材２４を自分で交換することも可能となる。このためレンズバリア２０のデザインなどに関するバリエーションの自由度はさらに大きくなる。
【００３６】
前記内側バリア部材２３の表面における前記外側バリア部材２４の一方の周辺部が当接する部位には溝状の境界部ＧＸが形成されている。本実施形態おける境界部ＧＸは、外側バリア部材２４の一方の周辺部に形成された円弧状の突出縁部２４ａが係合可能な断面Ｖ字状の溝２３ａからなる。
【００３７】
外側バリア部材２４の他方の周辺部には、上記した突出縁部２４ａと対向するような形態で円弧状の突出縁部２４ｂが形成されている。この円弧状の突出縁部２４ｂは、前記内側バリア部材２３における突出端の周辺部２３ｂをカバーするように被せられる。
【００３８】
上記の如く、内側バリア部材２３に対して外側バリア部材２４が一体的に接合されたとき、上記境界部ＧＸは際立ったものとなり見栄えがよくなる。しかも境界部ＧＸが断面Ｖ字状の溝２３ａからなっているため、内側バリア部材２３に対する外側バリア部材２４の周辺縁部の形状をそれほど高精度に形成しなくてもよく、部品製造が容易となる。
【００３９】
外側バリア部材２４の材質は、内側バリア部材２３の材質と同じものでもよいし、異なるものであってもよい。外側バリア部材２４として例えば、金属や皮革等のプラスチック以外の異種材料を使用した場合には、レンズバリア表面の質感を変更することが可能となる。さらにメッキの種類や刺繍などの模様を変えることにより、そのバリエーションを更に増やすことができ、ユーザーの好みにあった最適態様となし得る。
【００４０】
一例として、外側バリア部材２４を金属で形成する場合、ロゴ部（不図示）を凸部としてアルマイト処理やメッキ処理を施した後、その凸部の表面を削ることによって、ロゴ部を金属性光沢で浮き立たせることが可能である。他の一例として、内側バリア部材２３は組立て性の容易なモールド材料で成形し、外側バリア部材２４は滑り難い材料であるゴムあるいは光沢性に富む金属で形成する事で質感を高める事が可能である。
【００４１】
かくして、外側バリア部材２４に出荷先の地域毎に対応したデザインを施すことにより、カメラをデザイン的に特徴付けして仕分けることも可能となる。
【００４２】
（第２実施形態）
図４は、本発明の第２実施形態に係るカメラにおけるレンズバリア４０の構成を示す図で、（ａ）は一部を分解して示す斜視図、（ｂ）は遮蔽領域を示す概略図、（ｃ）は主要部の断面図である。本実施形態のレンズバリア４０が、前記第１実施形態のレンズバリア２０と異なる点は、内側バリア部材４３の撮影レンズ１１と対向する部分が切除されている点である。
【００４３】
すなわち、図４の（ａ）（ｂ）に示すように、第２実施形態におけるレンズバリア４０においても、前記カメラ本体１０に対し移動可能に装着するための装着部４１を一部に有し、他の一部に、前記撮影レンズ１１の前方領域Ｅ１を含む所定領域Ｅを覆う如く設けられた遮蔽部４２を有している点では変わりがない。しかるに、遮蔽部４２を構成している内側バリア部材４３と外側バリア部材４４のうち、内側バリア部材４３は前記所定領域Ｅから前記撮影レンズ１１の前方領域Ｅ１部分を切除（切除部４３ａ）した残りの領域を覆うことが可能な如く、その形状及びサイズを設定されている。そして外側バリア部材４４は、前記所定領域Ｅを全域に亙って覆うことが可能なように形状及びサイズを設定され、前記内側バリア部材４３の表面に一部分を重ね合わせて接合されている。
【００４４】
前述した第１実施形態の遮蔽部２２にあっては、前記所定領域Ｅを全域に亙って覆うことが可能なように形状及びサイズを設定された内側バリア部材２３の表面を全域に亙って覆うように、当該内側バリア部材２３に外側バリア部材２４を接合した「全域二重構造」の遮蔽部となっているのに対し、本実施形態の遮蔽部４２は、内側バリア部材４３の撮影レンズ１１と対向する部分が切除されているため、外側バリア部材４４は内側バリア部材４３の表面に一部分を重ね合わせて接合されており、「部分二重構造」の遮蔽部となっている。
【００４５】
従って前述した第１実施形態の遮蔽部２２では、全域に亙って二重構造となっているため機械的強度が十分大きく、外装部品として好ましいものとなる。これに対し第２実施形態における遮蔽部４２は、内側バリア部材４３の撮影レンズ１１に対向する部分が切除されており、部分二重構造となっているため、機械的強度の点では第１実施形態の遮蔽部２２に劣るが、図４の（ｃ）に示すように、沈胴式撮影レンズ１１がカメラ本体１０内に格納されている時の同レンズ１１の先端部位置を、内側バリア部材４３の切除部４３ａの厚みｔに相当する分だけカメラ前方側へ前進させ得る。このため撮影レンズ１１の収納空間を確保しやすい利点を有している。
【００４６】
（第３実施形態）
図５の（ａ）（ｂ）は本発明の第３実施形態に係るカメラのレンズバリア５０（５０Ａ，５０Ｂ）の構成を示す斜視図である。本実施形態のレンズバリア５０が前記第１実施形態のレンズバリア２０と異なる主な点は、外側バリア部材５４（５４Ａ，５４Ｂ）が、ユーザーによって適時、他の外側バリア部材と交換可能な如く設けられている点である。
【００４７】
図５の（ａ）はその一例を示す図である。レンズバリア５０Ａが、少なくとも前記撮影レンズ１１の前面を覆うことが可能な如く設けられた内側バリア部材５３Ａと、前記内側バリア部材５３Ａの表面上に重ね合わせて接合される外側バリア部材５４Ａとを有している点では前記第１実施形態と変わりがない。
【００４８】
外側バリア部材５４Ａは、特定のデザインを施された複数種の外側バリア部材（化粧板）の一つであり、本例では当該部材５４Ａの少なくとも外表面の一部５６が塗装可能な態様（材質，表面形状）に設けられている。そしてこの外側バリア部材５４Ａは、ユーザーが、他の外側バリア部材と適時交換可能な如く、前記内側バリア部材５３Ａに対し、着脱機構により着脱自在に装着されている。
【００４９】
この着脱機構として、本例では、前述した結合手段３０を用いている。すなわち内側バリア部材５３Ａの表面に設けた複数の突条３１（３１ａ〜３１ｄ）と、外側バリア部材５４Ａの内面に設けた凹溝（３２ａ〜３２ｄ）との嵌め込みによる係合を利用している。
【００５０】
なお、この外側バリア部材５４Ａを取り外すことによって、露出状態となる内側バリア部材５３Ａの表面には、所有者名その他の必要な情報を記録可能な情報記録領域５５ａ，５５ｂ，５５ｃが設けられている。
【００５１】
図５の（ｂ）は他の一例を示す図である。レンズバリア５０Ｂが、少なくとも前記撮影レンズ１１の前面を覆うことが可能な如く設けられた内側バリア部材５３Ｂと、この内側バリア部材５３Ｂの表面上に重ね合わせて接合される外側バリア部材５４Ｂとを有している点では前記第１実施形態と変わりがない。
【００５２】
外側バリア部材５４Ｂは、特定のデザインを施された複数種の外側バリア部材（化粧板）の一つであり、本例では当該部材５４Ｂの内面に、例えばメモリーカード５７その他の付属部品やお守り等を収納可能な、ポケット部５８を備えている。そしてこの外側バリア部材５４Ｂは、ユーザーが、他の外側バリア部材と適時交換可能な如く、前記内側バリア部材５３Ｂに対し、着脱機構により着脱自在に装着されている。
【００５３】
この着脱機構として、本例では、前記外側バリア部材５４Ｂの内面に形成されたポケット部５８と、このポケット部５８に相対向する如く前記内側バリア部材５３Ｂに設けられた逃げ穴５９との嵌め合い構造を活用している。すなわち凸部であるポケット部５８と凹部である逃げ穴５９との嵌合による係合作用を活用している。また図示の如く前記複数の突条３１の一部（３１ａ、３１ｄ）と、凹溝（３２ａ、３２ｄ）の一部との嵌め込みによる係合も併用している。
【００５４】
なお、この外側バリア部材５４Ｂを取り外すことによって、露出状態となる内側バリア部材５３Ｂの表面には、前述した場合と同様に、所有者名その他の必要な情報を記録可能な情報記録領域５５ｄが設けられている。
【００５５】
この第３実施形態においては、外側バリア部材５４（５４Ａ，５４Ｂ）が、内側バリア部材５３（５４Ａ，５４Ｂ）に対して着脱自在に設けられており、ユーザーが、必要に応じて他の外側バリア部材と適時交換することが可能となっている。従ってユーザー自身の好みに合ったカスタムカメラを手軽に得ることができる。
【００５６】
（第４実施形態）
図６は本発明の第４実施形態に係るカメラのレンズバリア６０の構成を示す斜視図である。本実施形態のレンズバリア６０が、前記第１実施形態のレンズバリア２０と異なる主な点は、前記レンズバリア６０が、カメラ本体１０を遠隔操作し得るリモートコントロール機能を有している点である。
【００５７】
すなわち、前記レンズバリア６０は、少なくとも前記撮影レンズ１１の前面を覆うことが可能な如く設けられた内側バリア部材（バリア基体）６３と、前記内側バリア部材６３の表面上に着脱自在に重ね合わせて接合される外側バリア部材（化粧板）６４とを有している。そして前記外側バリア部材６４は、その内面にカメラ本体１０を遠隔操作操作するための小型リモートコントローラ６５を備えている。内側バリア部材６３の前記小型リモートコントローラ６５に相対向する位置には、格納用の逃げ穴６６が設けられている。なお３２ａ，３２ｂは鉄板などの強磁性材で形成されており、対応する３１ａ，３１ｂはマグネット材で形成されている。このため両者は磁気吸着により結合され得るものとなっている。
【００５８】
カメラ用の小型リモートコントローラは、携帯用として便利である反面、紛失しやすい難点がある。このため例えばストラップ等を用いてカメラ本体と一体化することが考えられるが、コンパクト性に欠ける。本実施形態においては小型リモートコントローラ６５がレンズバリア２０の外側バリア部材６４と一体化されているため、使用後の収納作業が簡単で、収納し忘れる可能性が極めて少ない。このためカメラ携行中における紛失防止をはかれる上、コンパクト性を損なうおそれもない。
【００５９】
【発明の効果】
本発明によれば、ユーザー自身が適時外側バリアを組立てることが可能になることで、下記のような効果を持つカメラを提供できる。
【００６０】
（ａ）本発明のレンズバリアは、複数枚のバリア部材を重ね合わせて形成した多重構造の遮蔽部を有しているため、少なくとも最外側のバリア部材の色を他の部材と予め異ならせておくことにより、塗装処理を行なわずに、レンズバリア表面の多色化を容易かつ低コストで実現できる。
【００６１】
（ｂ）最外側のバリア部材のみを特定化する事により、実質的にバリア全体が所定の態様に変わるので、レンズバリア表面の多色化やデザインを、ユーザーの好みに応じた態様に簡単に変更することが可能である。
【図面の簡単な説明】
【図１】本発明の第１実施形態に係るカメラの外観を示すバリア開放状態の斜視図。
【図２】本発明の第１実施形態に係るカメラの構成を示す図で、（ａ）は上面図、（ｂ）はバリア閉止状態の正面図、（ｃ）はバリア開放状態の正面図、（ｄ）はカメラ正面から見て右側の端面図。
【図３】本発明の第１実施形態に係るカメラにおけるレンズバリアの構成を示す図で、（ａ）は内側バリア部材と外側バリア部材との結合状態を示すレンズバリアの正面図、（ｂ）は（ａ）のｂ−ｂ線矢視断面図、（ｃ）は内側バリア部材から外側バリア部材を分離して示す斜視図。
【図４】本発明の第２実施形態に係るカメラにおけるレンズバリアの構成を示す図で、（ａ）は一部を分解して示す斜視図、（ｂ）は遮蔽領域を示す概略図、（ｃ）は主要部の断面図。
【図５】本発明の第３実施形態に係るカメラにおけるレンズバリアの構成を示す図で、（ａ）はその一例を分解して示す斜視図、（ｂ）は他の一例を分解して示す斜視図。
【図６】本発明の第４実施形態に係るカメラにおけるレンズバリアの構成を分解して示す斜視図である。
【符号の説明】
１０…カメラ本体
１１…沈胴式撮影レンズ
１２…ファインダー前窓
１３…セルフタイマー窓
１４…ストロボ発光窓
２０，４０，５０，６０…レンズバリア
２１，４１，５１，６１…装着部
２２，４２，５２，６２…遮蔽部
２３，４３，５３，６３…内側バリア部材
２４，４４，５４，６４…外側バリア部材
３１（３１ａ〜３１ｄ）…突条
３２（３２ａ〜３２ｄ）…凹溝
５５ａ〜５３ｃ…情報記録領域
５７…メモリーカード
５８…ポケット部
５９，６６…逃げ穴
６５…リモートコントローラ
【図１】
0004436551.tif 000002
【図２】
0004436551.tif 000003
【図３】
0004436551.tif 000004
【図４】
0004436551.tif 000005
【図５】
0004436551.tif 000006
【図６】
0004436551.tif 000007